(57)【要約】【課題】患者の身体的特徴にかかわらず、より容易に乗降することができる歯科用椅子を提供する。【解決手段】歯科用椅子１において、レッグレスト６は、座部３の前端縁３４の近傍に設けられた回動軸１１の周りで回動可能に支持されているとともに、歯科用椅子１への患者の乗降時において先端側が基端側よりも後方に入り込んで鉛直下方に対して傾斜するように構成されている。また、座部３の前端縁３４は、該座部３の前端縁３４に沿う方向である幅方向の中央部の方が幅方向の両端部よりも後方にえぐれている。【選択図】図１
2018015425.tif 000002
【特許請求の範囲】
【請求項１】
患者が着座する座部と、
患者の脚部を支えるレッグレストと、を備える歯科用椅子であって、
前記レッグレストは、前記座部の前端縁の近傍に設けられた回動軸の周りで回動可能に支持されているとともに、前記歯科用椅子への患者の乗降時において先端側が基端側よりも後方に入り込んで鉛直下方に対して傾斜するように構成されており、
前記座部の前端縁は、該座部の前端縁に沿う方向である幅方向の中央部の方が前記幅方向の両端部よりも後方にえぐれていることを特徴とする歯科用椅子。
【請求項２】
前記レッグレストの表面は、前記幅方向の中央部の方が前記幅方向の両端部よりも該レッグレストの裏面側に向けてへこむように湾曲していることを特徴とする請求項１に記載の歯科用椅子。
【請求項３】
前記座部は、該座部の少なくとも前側において、前記幅方向の両端部が前記幅方向の中央部よりも高く設定されていることを特徴とすることを特徴とする請求項１または請求項２に記載の歯科用椅子。
【請求項４】
患者の腕部を支える一対のアームレストを備え、
略水平な状態にある前記アームレストの先端は、前記座部の前端縁の中央部よりも前方に位置していることを特徴とする請求項１から請求項３のいずれか一項に記載の歯科用椅子。
【請求項５】
前記座部は、該座部の前側における前記幅方向の寸法が一対の前記アームレストの間の寸法よりも大きく設定されていることを特徴とすることを特徴とする請求項４に記載の歯科用椅子。
【請求項６】
前記座部は、該座部の後側における前記幅方向の中央部に位置され患者の臀部を受ける臀部受け部を有し、
前記座部の前記幅方向の中心を通る鉛直断面における該座部の表面の高さは、前記歯科用椅子への患者の乗降時において、前記臀部受け部から前方に向かって一旦高くなってから低くなるように設定されていることを特徴とする請求項１から請求項５のいずれか一項に記載の歯科用椅子。
【請求項７】
前記レッグレストは、
弾性体を含むクッション部と、
前記クッション部が取り付けられているレッグレスト支持部と、
前記歯科用椅子への患者の乗降時において前記レッグレスト支持部内に収納されているレッグアシストと、
前記レッグレストの先端部が持ち上げられる運動に連動して前記レッグアシストを前記レッグレスト支持部の先端に設けられた開口部から進出させるレッグアシスト連動機構部と、を有することを特徴とする請求項１から請求項６のいずれか一項に記載の歯科用椅子。
【請求項８】
前記レッグアシスト連動機構部は、
前記座部の下面側に対して一端側が回動可能に連結されたレッグアシスト用リンクと、
前記レッグアシスト用リンクの他端側が回動可能に連結され前記レッグレスト支持部内で往復移動可能に支持されている移動体と、
前記レッグレスト支持部の基端側に向かう前記移動体の移動を前記レッグレスト支持部の先端側に向かう前記レッグアシストの移動に変換する変換機構部と、
前記レッグレスト支持部の基端側に向かう前記移動体の移動を規制するストッパと、を有し、
前記座部の下面側に設けられたピンが、前記レッグアシスト用リンクの前記一端側に該レッグアシスト用リンクの長手方向に沿って形成された長孔に挿入されており、
前記レッグアシスト用リンクを該レッグアシスト用リンクの前記一端側へ長手方向に沿って付勢する付勢手段が設けられていることを特徴とする請求項７に記載の歯科用椅子。
【請求項９】
前記変換機構部は、
前記移動体に対して一端側が回動可能に連結された第１変換用リンクと、
前記第１変換用リンクの他端側に対して一端側が回動可能に連結された第２変換用リンクと、
前記第２変換用リンクの他端側に対して一端側が回動可能に連結された第３変換用リンクと、を有し、
前記第２変換用リンクの一端側と他端側との間の部分が前記レッグレスト支持部に対して回動可能に連結されており、
前記第３変換用リンクの他端側が前記レッグアシストに対して回動可能に連結されていることを特徴とする請求項８に記載の歯科用椅子。
【発明の詳細な説明】
【技術分野】
【０００１】
本発明は、歯科用椅子に関する。
【背景技術】
【０００２】
歯科診療に用いられる歯科用椅子は、一般に、ヘッドレストと、バックレストと、座部と、レッグレストとを備えている。
【０００３】
特許文献１には、レッグレストを鉛直位置よりも内側に折れ込み可能に設けるとともに、レッグレストをコンターシート（座部）の下部内側に折れ込ませるための駆動手段を有する歯科用椅子が開示されている（段落[０００５]参照）。
【先行技術文献】
【特許文献】
【０００４】
【特許文献１】特開２００５−１９８６７９号公報
【発明の概要】
【発明が解決しようとする課題】
【０００５】
前記した特許文献１に記載の歯科用椅子では、レッグレストが座部の下部内側に折れ込むように構成されているため、患者は、歯科用椅子に乗降する際に、足の踵を座部の下方へ挿入することができる。このため、患者は、起立および着座が容易となり、歯科用椅子に対して乗降し易くなる。
【０００６】
しかしながら、例えば小柄な女性のように大腿部が比較的短い患者が歯科用椅子に対して乗降する場合、膝裏に座部が干渉してしまうおそれがある。この場合、患者は、そのままでは膝を折り曲げて踵を座部の下方へ挿入することが困難であるため、座り直すなど体を移動させながら、歯科用椅子への乗降を行う必要がある。
【０００７】
本発明は、前記した事情に鑑みてなされたものであり、患者の身体的特徴にかかわらず、より容易に乗降することができる歯科用椅子を提供することを課題とする。
【課題を解決するための手段】
【０００８】
前記課題を解決するため、本発明は、患者が着座する座部と、患者の脚部を支えるレッグレストと、を備える歯科用椅子であって、前記レッグレストは、前記座部の前端縁の近傍に設けられた回動軸の周りで回動可能に支持されているとともに、前記歯科用椅子への患者の乗降時において先端側が基端側よりも後方に入り込んで鉛直下方に対して傾斜するように構成されており、前記座部の前端縁は、該座部の前端縁に沿う方向である幅方向の中央部の方が前記幅方向の両端部よりも後方にえぐれていることを特徴とする。
【０００９】
このような構成では、歯科用椅子への患者の乗降時においてレッグレストはその先端側が基端側よりも後方に入り込んでいるため、患者は、足の踵を座部の下方へ引いて挿入することができる。しかも、座部の前端縁の幅方向の中央部が後方にえぐれているため、例えば小柄な女性のように大腿部が比較的短い患者であっても、膝裏に座部が干渉してしまうことなく、膝を折り曲げて足の膝から先を後方に引くことができる。したがって、患者は、大腿部の長さにかかわらず、足の踵を膝よりも後方に引いてスムーズに体重移動することができ、起立および着座が容易となる。
すなわち、本発明によれば、患者の身体的特徴にかかわらず、より容易に乗降することができる歯科用椅子を提供できる。
また、患者が歯科用椅子上で診療を受ける際には、大腿部の長さにかかわらず、膝裏に座部が干渉することがないため、患者の足は歯科用椅子に良好にフィットする。したがって、患者は快適に診療を受けることができる。
【００１０】
前記歯科用椅子において、前記レッグレストの表面は、前記幅方向の中央部の方が前記幅方向の両端部よりも該レッグレストの裏面側に向けてへこむように湾曲していることが好ましい。
【００１１】
このような構成では、歯科用椅子への患者の乗降時においてレッグレストの先端側を基端側よりも後方に入り込ませたとき、レッグレストの表面の幅方向の中央部が後方に向けてへこんだ状態となる。つまり、上方から見て、座部の前端縁と、レッグレストの表面とは、同じように幅方向の中央部が後方にえぐれたラインを描く。したがって、患者は、歯科用椅子に対する乗降時に、足の踵を座部の下方へ確実に引くことができるため、起立および着座がより容易となる。このため、歯科用椅子に対してより容易に乗降することが可能となる。
【００１２】
前記歯科用椅子において、前記座部は、該座部の少なくとも前側において、前記幅方向の両端部が前記幅方向の中央部よりも高く設定されていることが好ましい。
【００１３】
このような構成では、座部の少なくとも前側は、幅方向の両端部が中央部よりも高くなったいわゆるバケットシート形状を呈している。したがって、患者は、歯科用椅子上で診療を受ける際に、患者の大腿部から膝付近がバケットシート形状となった部分で支えられる。このため、患者の大腿部から膝付近を左右から包み込んで体を保持することが可能となり、特に女性の患者の場合には診療中に足が開くことを防ぐことができる。したがって、患者は快適に診療を受けることができる。
【００１４】
前記歯科用椅子において、患者の腕部を支える一対のアームレストを備え、略水平な状態にある前記アームレストの先端は、前記座部の前端縁の中央部よりも前方に位置していることが好ましい。
【００１５】
このような構成では、歯科用椅子への患者の乗降時の際に、患者は、アームレストの前方部分に手を置いて体重をかけることができるため、起立および着座がより容易となる。このため、歯科用椅子に対してより容易に乗降することが可能となる。
【００１６】
前記歯科用椅子において、前記座部は、該座部の前側における前記幅方向の寸法が一対の前記アームレストの間の寸法よりも大きく設定されていることが好ましい。
【００１７】
このような構成では、座部の前側の幅方向の寸法が大きくなっているため、例えば大柄な患者であっても、患者の大腿部から膝付近を十分に余裕を持って支えることができる。したがって、患者は快適に診療を受けることができる。
【００１８】
前記歯科用椅子において、前記座部は、該座部の後側における前記幅方向の中央部に位置され患者の臀部を受ける臀部受け部を有し、前記座部の前記幅方向の中心を通る鉛直断面における該座部の表面の高さは、前記歯科用椅子への患者の乗降時において、前記臀部受け部から前方に向かって一旦高くなってから低くなるように設定されていることが好ましい。
【００１９】
このような構成では、患者の臀部を臀部受け部において包み込んで保持するとともに、患者の大腿部から膝付近にかけて滑らかなラインに沿って支持することができる。したがって、患者は快適に診療を受けることができる。また、座部の表面の高さが前端部で低くなっているため、歯科用椅子に対してより容易に乗降することが可能となる。
【００２０】
前記歯科用椅子において、前記レッグレストは、弾性体を含むクッション部と、前記クッション部が取り付けられているレッグレスト支持部と、前記歯科用椅子への患者の乗降時において前記レッグレスト支持部内に収納されているレッグアシストと、前記レッグレストの先端部が持ち上げられる運動に連動して前記レッグアシストを前記レッグレスト支持部の先端に設けられた開口部から進出させるレッグアシスト連動機構部と、を有することが好ましい。
【００２１】
このような構成では、レッグレストの先端部が持ち上げられると、レッグアシスト連動機構部によってレッグアシストがレッグレスト支持部の先端に設けられた開口部から進出する。これにより、通常はレッグアシストをレッグレスト支持部内に収納してコンパクトな構成としつつ、レッグレストの先端部を持ち上げて該レッグレストで患者の脚部を支えるときには、レッグアシストを開口部から進出させて患者の踵を支えることができる。したがって、患者は快適に診療を受けることができる。
【００２２】
前記歯科用椅子において、前記レッグアシスト連動機構部は、前記座部の下面側に対して一端側が回動可能に連結されたレッグアシスト用リンクと、前記レッグアシスト用リンクの他端側が回動可能に連結され前記レッグレスト支持部内で往復移動可能に支持されている移動体と、前記レッグレスト支持部の基端側に向かう前記移動体の移動を前記レッグレスト支持部の先端側に向かう前記レッグアシストの移動に変換する変換機構部と、前記レッグレスト支持部の基端側に向かう前記移動体の移動を規制するストッパと、を有し、前記座部の下面側に設けられたピンが、前記レッグアシスト用リンクの前記一端側に該レッグアシスト用リンクの長手方向に沿って形成された長孔に挿入されており、前記レッグアシスト用リンクを該レッグアシスト用リンクの前記一端側へ長手方向に沿って付勢する付勢手段が設けられていることが好ましい。
【００２３】
このような構成では、レッグレストの回動にともなって、長孔にピンが挿入された状態で付勢部材によって長手方向にピン側へ付勢されたレッグアシスト用リンクを介して、移動体がレッグレスト支持部内で往復移動させられる。これにより、レッグアシストがレッグレスト支持部の開口部に対して進退移動させられる。
より詳細には、レッグレストの先端部が持ち上がるように該レッグレストが回動させられると、長孔にピンが挿入された状態で付勢部材によって長手方向にピン側へ付勢されたレッグアシスト用リンクに引っ張られることによって、移動体がレッグレスト支持部内で基端側に移動させられる。そして、移動体が基端側に移動させられると、変換機構部によって、レッグアシストがレッグレスト支持部の開口部から進出させられる。
一方、レッグレストの先端部が下がるように該レッグレストが回動させられると、レッグアシスト用リンクに押されることによって、移動体がレッグレスト支持部内で先端側に移動させられる。そして、移動体が先端側に移動させられると、変換機構部によって、レッグアシストがレッグレスト支持部内へ退避させられる。
ここで、レッグレストの先端側が基端側よりも後方に入り込んだ状態から持ち上げられて該レッグレストが最も寝た状態にまで回動する間、レッグアシストが進出し続けるとすれば、レッグアシストのストローク長はかなり長くなる。しかし、レッグアシストの長さはレイアウト上制限を受けるため、レッグアシストのストローク長は、それほど長くすることはできない。そこで、座部の下面側に設けられたピンが挿入されるレッグアシスト用リンクの孔を長孔としている。これにより、レッグアシストの進退移動に連動する移動体が基端側に移動してストッパに当接して停止した後には、レッグアシスト用リンクがレッグレストの回動にしたがって先端側に引っ張られ、長孔にピンが挿入された状態で長孔の部分がピンに対して先端側に移動する。つまり、レッグアシスト用リンクの一端側の孔を長孔とし、移動体がストッパに突き当たった後には長孔内でピンが相対的に移動することによって、レッグアシスト用リンクが先端側に引っ張られる際の変位を吸収することができる。
また、付勢部材によってレッグアシスト用リンクを長手方向にピン側へ付勢しているため、移動体がストッパに当接する前に長孔の部分がピンに対して先端側に移動してレッグアシストの進出を阻害してしまうことはない。したがって、レッグレストの回動にともなって、レッグアシストを効率良く迅速に進出させることができる。
このように、レッグアシストのストローク長にかかわらずレッグレストを最も寝た状態にまで回動させることができ、しかもレッグレストを寝かせる方向へ回動させ始めた時点からいち早くレッグアシストを進出させて患者の踵を素早く支持することができる。したがって、患者はより快適に診療を受けることができる。
【００２４】
前記歯科用椅子において、前記変換機構部は、前記移動体に対して一端側が回動可能に連結された第１変換用リンクと、前記第１変換用リンクの他端側に対して一端側が回動可能に連結された第２変換用リンクと、前記第２変換用リンクの他端側に対して一端側が回動可能に連結された第３変換用リンクと、を有し、前記第２変換用リンクの一端側と他端側との間の部分が前記レッグレスト支持部に対して回動可能に連結されており、前記第３変換用リンクの他端側が前記レッグアシストに対して回動可能に連結されていることが好ましい。
【００２５】
このような構成では、コンパクトで簡易な変換機構部の構成によって、レッグレスト支持部の基端側に向かう移動体の移動を、レッグレスト支持部の先端側に向かうレッグアシストの移動に変換することができる。
【発明の効果】
【００２６】
本発明によれば、患者の身体的特徴にかかわらず、より容易に乗降することができる歯科用椅子を提供できる。
【図面の簡単な説明】
【００２７】
【図１】本発明の一実施形態に係る歯科用椅子を示す斜視図である。
【図２】図１に示される歯科用椅子の正面図である。
【図３】図１に示される歯科用椅子の側面図である。
【図４】図１に示される歯科用椅子の平面図である。
【図５】図４のＶ−Ｖ線に沿う部分断面図である。
【図６】図６（ａ）は、姿勢連動機構部およびレッグアシスト連動機構部を説明するための起き位置における側面図、図６（ｂ）は、図６（ａ）の正面図である。
【図７】姿勢連動機構部およびレッグアシスト連動機構部を説明するための中途位置における側面図である。
【図８】図７の前側上方から見た図である。
【図９】図７の右前側上方から見た斜視図である。
【図１０】姿勢連動機構部およびレッグアシスト連動機構部を説明するための最寝位置における側面図である。
【発明を実施するための形態】
【００２８】
本発明の実施形態について、適宜図面を参照しながら詳細に説明する。
なお、各図において、共通する構成要素や同様な構成要素については、同一の符号を付し、それらの重複する説明を適宜省略する。
【００２９】
図１は、本発明の一実施形態に係る歯科用椅子１を示す斜視図である。図２は、図１に示される歯科用椅子１の正面図である。図３は、図１に示される歯科用椅子１の側面図である。図４は、図１に示される歯科用椅子１の平面図である。図５は、図４のＶ−Ｖ線に沿う部分断面図である。ここで、各図において、歯科用椅子１に座った患者が向く正面側を「前」、患者の背面側を「後」、患者の左右方向を「幅方向」とする。
【００３０】
図１〜図４に示すように、本実施形態に係る歯科用椅子１は、歯科診療に用いられる椅子である。歯科用椅子１は、台座２と、該台座２に支持されるとともに患者が着座する座部３と、座部３に着座した患者の背部を支えるバックレスト４と、バックレスト４に支持されるとともに患者の頭部を支えるヘッドレスト５と、患者の脚部を支えるレッグレスト６と、を備えている。
【００３１】
バックレスト４、座部３、およびレッグレスト６は、台座２内に配置された上台ベース２ａ（図６（ａ）参照）に支持されている。上台ベース２ａは、台座２内の上台ベース２ａの下方に設けられた高さ調整機構部（図示せず）によって上下方向に移動させられるように構成されている。したがって、座部３は、高さ調整機構部の駆動手段によって駆動されて、台座２に対して上下方向で位置調整され得る。
【００３２】
バックレスト４は、歯科用椅子１への患者の乗降時においてバックレスト４が最も起きた状態となる起き位置（図１〜図４、図６参照）と、バックレスト４が最も寝た状態となる最寝位置（図１０参照）と、の間で連続的に傾動可能に構成されている。
【００３３】
また、本実施形態では、後記する姿勢連動機構部７（図６（ａ）参照）によって、バックレスト４の傾動に連動して、座部３およびレッグレスト６を傾動させることが可能に構成されている。
【００３４】
図３に示すように、座部３は、クッション部３１と、クッション部３１が取り付けられている座部支持部３２（図６（ａ）参照）と、を有している。
【００３５】
図５に示すように、クッション部３１は、座部支持部３２に固定されている芯材３１ａと、芯材３１ａ上に配置されている発泡ウレタン等から構成されている弾性体３１ｂと、弾性体３１ｂを覆う表皮３１ｃとを備えている。
【００３６】
座部３は、該座部３の後側における幅方向の中央部に位置され患者の臀部を受ける臀部受け部３３を有している。座部３の幅方向の中心を通る鉛直断面（図５参照）における該座部３の表面の高さは、歯科用椅子１への患者の乗降時において、臀部受け部３３から前方に向かって一旦高くなってから低くなるように設定されている。
【００３７】
図４に示すように、座部３の前端縁３４は、該座部３の前端縁３４に沿う方向である幅方向の中央部の方が幅方向の両端部よりも後方に長さ寸法Ｌ１だけえぐれている。長さ寸法Ｌ１は、例えば５０〜１００ｍｍ程度であるが、これに限定されるものではない。前端縁３４の中央部の後方へのえぐれによって、幅方向の中央部において、バックレスト４の下部前面から座部３の前端縁３４までの長さ寸法Ｌ２は通常よりも短くなっている。このため、小柄な女性のように大腿部が比較的短い患者であっても、座部３に着座したときに膝裏が前端縁３４よりも前方に位置することになる。
【００３８】
また、歯科用椅子１は、患者の腕部を支える一対のアームレスト１０を備えている。通常、一対のアームレスト１０のうちの、患者出入り側の方のアームレストは、軸１２（図３も参照）の周りで、先端部が前方に向く略水平な状態（図３、図４に示す状態）から、先端部が上方に向く略直立状態まで回動可能となっており、他方のアームレストは、略水平な状態に固定されている。略水平な状態にあるアームレスト１０の先端は、座部３の前端縁３４の中央部よりも前方に位置している。座部３は、該座部３の前側における幅方向の寸法Ｗ１が一対のアームレストの間の寸法Ｗ２よりも大きく設定されている。
【００３９】
図１〜図２に示すように、座部３は、該座部３の前側において、幅方向の両端部が幅方向の中央部よりも高くなったいわゆるバケットシート形状を呈している。また、座部３の後側の臀部受け部３３（図４参照）付近においても、幅方向の両端部が幅方向の中央部よりも高くなったいわゆるバケットシート形状を呈している。
【００４０】
図３に示すように、バックレスト４は、クッション部４１と、クッション部４１が取り付けられているバックレスト支持部４２（図６（ａ）も参照）と、を有している。ヘッドレスト５は、クッション部５１と、クッション部５１が取り付けられているヘッドレスト支持部５２と、を有している。また、レッグレスト６は、クッション部６１と、クッション部６１が取り付けられているレッグレスト支持部６２（図６（ａ）も参照）と、を有している。クッション部４１，５１，６１は、クッション部３１と同様に、芯材と、芯材上に配置されている発泡ウレタン等から構成されている弾性体と、弾性体を覆う表皮とを備えている。
【００４１】
レッグレスト６は、座部３の前端縁の近傍に設けられた回動軸１１の周りで回動可能に支持されている。そして、レッグレスト６は、歯科用椅子１への患者の乗降時、すなわちバックレスト４の起き位置において、先端側が基端側よりも後方に入り込んで鉛直下方に対して傾斜するように構成されている。歯科用椅子１への患者の乗降時におけるレッグレスト６の鉛直下方に対する後方への傾斜角度αは、例えばα＝２〜８度程度であるが、これに限定されるものではない。
【００４２】
図１に示すように、レッグレスト６の表面は、幅方向の中央部の方が幅方向の両端部よりも該レッグレスト６の裏面側に向けてへこむように湾曲している。
【００４３】
図６（ａ）は、姿勢連動機構部７およびレッグアシスト連動機構部８を説明するための起き位置における側面図、図６（ｂ）は、図６（ａ）の正面図である。図７は、姿勢連動機構部７およびレッグアシスト連動機構部８を説明するための中途位置における側面図である。図８は、図７の前側上方から見た図である。図９は、図７の右前側上方から見た斜視図である。図１０は、姿勢連動機構部７およびレッグアシスト連動機構部８を説明するための最寝位置における側面図である。なお、図６〜図１０において、クッション部３１，４１，５１，６１の図示を省略している。また、図６（ｂ）では、レッグアシスト６３を想像線（二点鎖線）で示し、レッグアシスト６３の背後の部分を実線で示している。
【００４４】
図６に示すように、台座２（図１参照）内の上台ベース２ａの後端部に対して、座部支持部３２の後端下部が、回動軸１３の周りで回動可能に連結されている。また、座部支持部３２の後端上部に対して、バックレスト支持部４２に設けられたアーム部４２ａの先端部が、回動軸１４の周りで回動可能に連結されている。また、座部支持部３２の前端部に対して、レッグレスト支持部６２の基端部が、回動軸１１の周りで回動可能に連結されている。
【００４５】
姿勢連動機構部７は、バックレスト４の傾動に連動して座部３およびレッグレスト６を傾動させる機能を有している。
姿勢連動機構部７は、第１傾動用リンク７１と、第２傾動用リンク７２と、第３傾動用リンク７３と、第４傾動用リンク７４と、を有している。第１傾動用リンク７１の後端部は、バックレスト支持部４２の前端部に対して、回動軸１５の周りで回動可能に連結されている。第２傾動用リンク７２の上端後部は、第１傾動用リンク７１の前端部に対して、回動軸１６の周りで回動可能に連結されている。第２傾動用リンク７２の下端部は、上台ベース２ａの前端部に対して、回動軸１７の周りで回動可能に連結されている。第３傾動用リンク７３の後端部は、第２傾動用リンク７２の上端前部に対して、回動軸１８の周りで回動可能に連結されている。第３傾動用リンク７３の前端部は、レッグレスト支持部６２に対して、回動軸１９の周りで回動可能に連結されている。第４傾動用リンク７４の後端部は、第２傾動用リンク７２の長手方向中途部に対して、回動軸２０の周りで回動可能に連結されている。第４傾動用リンク７４の前端部は、座部支持部３２の前側に対して、回動軸２１の周りで回動可能に連結されている。
【００４６】
図８に示すように、姿勢連動機構部７は、バックレスト支持部４２の前端部を前後方向に移動させることによってバックレスト４を傾動させる駆動手段７５を有している。駆動手段７５は、バックレスト支持部４２の前端部に回動可能に連結されたナット部７５ａと、ナット部７５ａに螺合されたねじ軸７５ｂと、駆動源としての電動モータ７５ｃと、座部支持部３２の前端部に回動可能に連結され電動モータ７５ｃの回転力をねじ軸７５ｂに伝達する動力伝達部７５ｄとを有している。すなわち、駆動手段７５は、バックレスト支持部４２の前端部と座部支持部３２の前端部との間の距離を調整する機能を有する。
【００４７】
図６に示すように、レッグレスト６（図３等参照、以下同様）は、歯科用椅子１（図３等参照、以下同様）への患者の乗降時において有底箱状のレッグレスト支持部６２内に収納されているレッグアシスト６３を有している。また、レッグレスト６は、レッグレスト６の先端部が持ち上げられる運動に連動してレッグアシスト６３をレッグレスト支持部６２の先端に設けられた開口部６４から進出させるレッグアシスト連動機構部８を有している。レッグアシスト６３は、レッグレスト支持部６２内で、一対のガイド棒６５に案内されながら往復移動可能に支持されている。レッグアシスト６３の表面は、幅方向の中央部の方が幅方向の両端部よりも該レッグアシスト６３の裏面側に向けてへこむように湾曲している（図９参照）。
【００４８】
レッグアシスト連動機構部８は、レッグアシスト用リンク８１と、移動体８２と、変換機構部９と、ストッパ８３（図８も参照）と、を有している。レッグアシスト用リンク８１の一端側は、座部３（図３等参照、以下同様）の下面側に対して、座部支持部３２に設けられたピン８４の周りで、回動可能に連結されている。レッグアシスト用リンク８１の他端側は、移動体８２に対して、回動軸２２の周りで回動可能に連結されている。移動体８２は、レッグレスト支持部６２内で、一対のガイド棒８５に案内されながら往復移動可能に支持されている。変換機構部９は、レッグレスト支持部６２の基端側に向かう移動体８２の移動をレッグレスト支持部６２の先端側に向かうレッグアシスト６３の移動に変換する。また、変換機構部９は、レッグレスト支持部６２の先端側に向かう移動体８２の移動をレッグレスト支持部６２の基端側に向かうレッグアシスト６３の移動に変換する。ストッパ８３は、レッグレスト支持部６２の基端側に向かう移動体８２の移動を規制する。ストッパ８３は、ここでは、ガイド棒８５の基端側の端部に設けられており、移動体８２はストッパ８３に当接することによって移動が停止される。
【００４９】
レッグアシスト用リンク８１の一端側には、該レッグアシスト用リンク８１の長手方向に沿って長い長孔８６が形成されている。長孔８６には、座部３の下面側に設けられたピン８４が挿入されている。そして、レッグアシスト用リンク８１は、付勢手段としての引張コイルばね８７によって、該レッグアシスト用リンク８１の一端側、すなわちピン８４側へ長手方向に沿って付勢されている。引張コイルばね８７の両端部は、座部支持部３２に設けられたピン８４と、レッグアシスト用リンク８１の他端側に設けられたピン８８とに、それぞれ取り付けられている。
【００５０】
変換機構部９は、第１変換用リンク９１と、第２変換用リンク９２と、第３変換用リンク９３と、を有している。第１変換用リンク９１の一端側は、移動体８２に対して、回動軸２３の周りで回動可能に連結されている。第２変換用リンク９２の一端側は、第１変換用リンク９１の他端側に対して、回動軸２４の周りで回動可能に連結されている。第３変換用リンク９３の一端側は、第２変換用リンク９２の他端側に対して、回動軸２５の周りで回動可能に連結されている。そして、第２変換用リンク９２の一端側と他端側との間の部分が、レッグレスト支持部６２に対して、回動軸２６の周りで回動可能に連結されている。また、第３変換用リンク９３の他端側が、レッグアシスト６３に対して、回動軸２７の周りで回動可能に連結されている。
【００５１】
次に、前記したように構成された歯科用椅子１の作用について説明する。
図１〜図６に示す起き位置からバックレスト４を寝かせる場合、駆動手段７５を作動させることによって、図７に示すようにバックレスト４が回動軸１４の周りでＡ方向に回動される。これにより、バックレスト４は、後方に傾動して寝る。
【００５２】
バックレスト４が寝ることによって、第１傾動用リンク７１がＢ方向（前方）に押され、第２傾動用リンク７２がＣ方向に回動される。そして、第２傾動用リンク７２のＣ方向への回動にともなって、第３傾動用リンク７３がＤ方向（前方）に押され、レッグレスト６の先端部がＥ方向に持ち上げられる。また、第２傾動用リンク７２のＣ方向への回動にともなって、第４傾動用リンク７４がＦ方向に回動され、座部３の前端部がＧ方向に持ち上げられる。
【００５３】
このようにバックレスト４の傾動に連動して、座部３およびレッグレスト６が傾動する。バックレスト４は、図１０に示す最寝位置まで連続的に傾動し得る。一方、バックレスト４を最寝位置から起き位置へ起こす場合、前記した動作と逆の動作となる。
【００５４】
また、図９に示すように、レッグレスト６の先端部が持ち上がるように該レッグレスト６が回動させられると、長孔８６にピン８４が挿入された状態で引張コイルばね８７によって長手方向にピン８４側へ付勢されたレッグアシスト用リンク８１に引っ張られることによって、移動体８２がレッグレスト支持部６２内で基端側に移動させられる。そして、移動体８２が基端側に移動させられると、変換機構部９によって、レッグアシスト６３がレッグレスト支持部６２の開口部６４から進出させられる。
一方、レッグレスト６の先端部が下がるように該レッグレスト６が回動させられると、レッグアシスト用リンク８１に押されることによって、移動体８２がレッグレスト支持部６２内で先端側に移動させられる。そして、移動体８２が先端側に移動させられると、変換機構部９によって、レッグアシスト６３がレッグレスト支持部６２内へ退避させられる。
【００５５】
前記したように、本実施形態に係る歯科用椅子１では、レッグレスト６は、座部３の前端縁３４の近傍に設けられた回動軸１１の周りで回動可能に支持されているとともに、歯科用椅子１への患者の乗降時において先端側が基端側よりも後方に入り込んで鉛直下方に対して傾斜するように構成されている。また、座部３の前端縁３４は、該座部３の前端縁３４に沿う方向である幅方向の中央部の方が幅方向の両端部よりも後方にえぐれている。
【００５６】
このような本実施形態では、歯科用椅子１への患者の乗降時においてレッグレスト６はその先端側が基端側よりも後方に入り込んでいるため、患者は、足の踵を座部３の下方へ引いて挿入することができる。しかも、座部３の前端縁３４の幅方向の中央部が後方にえぐれているため、例えば小柄な女性のように大腿部が比較的短い患者であっても、膝裏に座部３が干渉してしまうことなく、膝を折り曲げて足の膝から先を後方に引くことができる。したがって、患者は、大腿部の長さにかかわらず、足の踵を膝よりも後方に引いてスムーズに体重移動することができ、起立および着座が容易となる。
すなわち、本発明によれば、患者の身体的特徴にかかわらず、より容易に乗降することができる歯科用椅子１を提供できる。
また、患者が歯科用椅子１上で診療を受ける際には、大腿部の長さにかかわらず、膝裏に座部３が干渉することがないため、患者の足は歯科用椅子１に良好にフィットする。したがって、患者は快適に診療を受けることができる。
【００５７】
また、本実施形態では、レッグレスト６の表面は、幅方向の中央部の方が幅方向の両端部よりも該レッグレスト６の裏面側に向けてへこむように湾曲している。これにより、歯科用椅子１への患者の乗降時においてレッグレスト６の先端側を基端側よりも後方に入り込ませたとき、レッグレスト６の表面の幅方向の中央部が後方に向けてへこんだ状態となる。つまり、上方から見て、座部３の前端縁３４と、レッグレスト６の表面とは、同じように幅方向の中央部が後方にえぐれたラインを描く。したがって、患者は、歯科用椅子１に対する乗降時に、足の踵を座部３の下方へ確実に引くことができるため、起立および着座がより容易となる。このため、歯科用椅子１に対してより容易に乗降することが可能となる。
【００５８】
また、本実施形態では、座部３は、該座部３の少なくとも前側において、幅方向の両端部が幅方向の中央部よりも高く設定されている。このように、座部３の少なくとも前側は、幅方向の両端部が中央部よりも高くなったいわゆるバケットシート形状を呈している。したがって、患者は、歯科用椅子１上で診療を受ける際に、患者の大腿部から膝付近がバケットシート形状となった部分で支えられる。このため、患者の大腿部から膝付近を左右から包み込んで体を保持することが可能となり、特に女性の患者の場合には診療中に足が開くことを防ぐことができる。したがって、患者は快適に診療を受けることができる。
【００５９】
また、本実施形態では、略水平な状態にあるアームレスト１０の先端は、座部３の前端縁３４の中央部よりも前方に位置している。これにより、歯科用椅子１への患者の乗降時の際に、患者は、アームレスト１０の前方部分に手を置いて体重をかけることができるため、起立および着座がより容易となる。このため、歯科用椅子１に対してより容易に乗降することが可能となる。
【００６０】
また、本実施形態では、座部３は、該座部３の前側における幅方向の寸法が一対のアームレストの間の寸法よりも大きく設定されている。このように座部３の前側の幅方向の寸法が大きくなっているため、例えば大柄な患者であっても、患者の大腿部から膝付近を十分に余裕を持って支えることができる。したがって、患者は快適に診療を受けることができる。
【００６１】
また、本実施形態では、座部３の幅方向の中心を通る鉛直断面における該座部３の表面の高さは、歯科用椅子１への患者の乗降時において、臀部受け部３３から前方に向かって一旦高くなってから低くなるように設定されている。これにより、患者の臀部を臀部受け部３３において包み込んで保持するとともに、患者の大腿部から膝付近にかけて滑らかなラインに沿って支持することができる。したがって、患者は快適に診療を受けることができる。また、座部３の表面の高さが前端部で低くなっているため、歯科用椅子１に対してより容易に乗降することが可能となる。
【００６２】
また、本実施形態では、レッグレスト６の先端部が持ち上げられると、レッグアシスト連動機構部８によってレッグアシスト６３がレッグレスト支持部６２の先端に設けられた開口部６４から進出する。これにより、通常はレッグアシスト６３をレッグレスト支持部６２内に収納してコンパクトな構成としつつ、レッグレスト６の先端部を持ち上げて該レッグレスト６で患者の脚部を支えるときには、レッグアシスト６３を開口部６４から進出させて患者の踵を支えることができる。したがって、患者は快適に診療を受けることができる。
【００６３】
また、本実施形態では、レッグレスト６の回動にともなって、長孔８６にピン８４が挿入された状態で引張コイルばね８７によって長手方向にピン８４側へ付勢されたレッグアシスト用リンク８１を介して、移動体８２がレッグレスト支持部６２内で往復移動させられる。これにより、レッグアシスト６３がレッグレスト支持部６２の開口部６４に対して進退移動させられる。
ここで、レッグレスト６の先端側が基端側よりも後方に入り込んだ状態から持ち上げられて該レッグレスト６が最も寝た状態にまで回動する間、レッグアシスト６３が進出し続けるとすれば、レッグアシスト６３のストローク長はかなり長くなる。しかし、レッグアシスト６３の長さは、座部３の表面の高さ位置と歯科用椅子１が設置される床の高さ位置とからレイアウト上制限を受ける。このため、レッグアシスト６３のストローク長は、それほど長くすることはできない。そこで、座部３の下面側に設けられたピン８４が挿入されるレッグアシスト用リンク８１の孔を長孔８６としている。これにより、レッグアシスト６３の進退移動に連動する移動体８２が基端側に移動してストッパ８３に当接して停止した後には、レッグアシスト用リンク８１がレッグレスト６の回動にしたがって先端側に引っ張られ、長孔８６にピン８４が挿入された状態で長孔８６の部分がピン８４に対して先端側に移動する。図７〜図９は、移動体８２がストッパ８３に丁度当接した状態を示している。つまり、レッグアシスト用リンク８１のピン８４挿入用の孔を長孔８６とし、移動体８２がストッパ８３に突き当たった後には長孔８６内でピン８４が相対的に移動することによって、レッグアシスト用リンク８１が先端側に引っ張られる際の変位を吸収することができる。
また、引張コイルばね８７によってレッグアシスト用リンク８１を長手方向にピン８４側へ付勢しているため、移動体８２がストッパ８３に当接する前に長孔８６の部分がピン８４に対して先端側に移動してレッグアシスト６３の進出を阻害してしまうことはない。したがって、レッグレスト６の回動にともなって、レッグアシスト６３を効率良く迅速に進出させることができる。
このように、レッグアシスト６３のストローク長にかかわらずレッグレスト６を最も寝た状態にまで回動させることができ、しかもレッグレスト６を寝かせる方向へ回動させ始めた時点からいち早くレッグアシスト６３を進出させて患者の踵を素早く支持することができる。したがって、患者はより快適に診療を受けることができる。
【００６４】
また、本実施形態では、コンパクトで簡易な変換機構部９の構成によって、レッグレスト支持部６２の基端側に向かう移動体８２の移動を、レッグレスト支持部６２の先端側に向かうレッグアシスト６３の移動に変換することができる。
【００６５】
以上、本発明について、実施形態に基づいて説明したが、本発明は、前記実施形態に記載した構成に限定されるものではなく、前記実施形態に記載した構成を適宜組み合わせ乃至選択することを含め、その趣旨を逸脱しない範囲において適宜その構成を変更することができるものである。また、前記実施形態の構成の一部について、追加、削除、置換をすることができる。
【００６６】
例えば、前記実施形態では、バックレスト４の傾動に連動して、座部３およびレッグレスト６を傾動させることが可能に構成されているが、これに限定されるものではない。例えば、バックレスト４、座部３、およびレッグレスト６は、それぞれ単独で傾動可能に構成されていてもよい。
【００６７】
また、レッグアシスト連動機構部８は、前記した構成に必ずしも限定されるものではなく、レッグレスト６の先端部が持ち上げられる運動に連動してレッグアシスト６３を進出させる機構であれば変更可能である。また、変換機構部９は、前記した構成に必ずしも限定されるものはなく、移動体８２の移動をレッグアシスト６３の移動に変換できる機構であれば変更可能である。
【００６８】
また、前記実施形態では、バックレスト４を傾動させる駆動手段７５の駆動源として、電動モータ７５ｃが使用されているが、これに限定されるものではなく、流体圧シリンダ等の各種の駆動源が使用され得る。
【符号の説明】
【００６９】
１      歯科用椅子
２      台座
３      座部
４      バックレスト
５      ヘッドレスト
６      レッグレスト
７      姿勢連動機構部
８      レッグアシスト連動機構部
９      変換機構部
１０    アームレスト
１１    回動軸
３２    座部支持部
３３    臀部受け部
３４    前端縁
４２    バックレスト支持部
５２    ヘッドレスト支持部
６１    クッション部
６２    レッグレスト支持部
６３    レッグアシスト
６４    開口部
８１    レッグアシスト用リンク
８２    移動体
８３    ストッパ
８４    ピン
８６    長孔
８７    引張コイルばね（付勢手段）
８８    ピン
９１    第１変換用リンク
９２    第２変換用リンク
９３    第３変換用リンク
【図１】
2018015425.tif 000003
【図２】
2018015425.tif 000004
【図３】
2018015425.tif 000005
【図４】
2018015425.tif 000006
【図５】
2018015425.tif 000007
【図６】
2018015425.tif 000008
【図７】
2018015425.tif 000009
【図８】
2018015425.tif 000010
【図９】
2018015425.tif 000011
【図１０】
2018015425.tif 000012
【手続補正書】
【提出日】平成29年10月11日(2017.10.11)
【手続補正１】
【補正対象書類名】特許請求の範囲
【補正対象項目名】全文
【補正方法】変更
【補正の内容】
【特許請求の範囲】
【請求項１】
患者が着座する座部と、
患者の脚部を支えるレッグレストと、を備える歯科用椅子であって、
前記レッグレストは、前記座部の前端縁の近傍に設けられた回動軸の周りで回動可能に支持されているとともに、前記歯科用椅子への患者の乗降時において先端側が基端側よりも後方に入り込んで鉛直下方に対して傾斜するように構成されており、
前記座部の前端縁は、該座部の前端縁に沿う方向である幅方向の中央部の方が前記幅方向の両端部よりも後方にえぐれており、
前記レッグレストの表面は、前記幅方向の中央部の方が前記幅方向の両端部よりも該レッグレストの裏面側に向けてへこむように湾曲していることを特徴とする歯科用椅子。
【請求項２】
前記座部は、該座部の少なくとも前側において、前記幅方向の両端部が前記幅方向の中央部よりも高く設定されていることを特徴とすることを特徴とする請求項１に記載の歯科用椅子。
【請求項３】
患者の腕部を支える一対のアームレストを備え、
略水平な状態にある前記アームレストの先端は、前記座部の前端縁の中央部よりも前方に位置していることを特徴とする請求項１または請求項２に記載の歯科用椅子。
【請求項４】
前記座部は、該座部の前側における前記幅方向の寸法が一対の前記アームレストの間の寸法よりも大きく設定されていることを特徴とすることを特徴とする請求項３に記載の歯科用椅子。
【請求項５】
前記座部は、該座部の後側における前記幅方向の中央部に位置され患者の臀部を受ける臀部受け部を有し、
前記座部の前記幅方向の中心を通る鉛直断面における該座部の表面の高さは、前記歯科用椅子への患者の乗降時において、前記臀部受け部から前方に向かって一旦高くなってから低くなるように設定されていることを特徴とする請求項１から請求項４のいずれか一項に記載の歯科用椅子。
【請求項６】
前記レッグレストは、
弾性体を含むクッション部と、
前記クッション部が取り付けられているレッグレスト支持部と、
前記歯科用椅子への患者の乗降時において前記レッグレスト支持部内に収納されているレッグアシストと、
前記レッグレストの先端部が持ち上げられる運動に連動して前記レッグアシストを前記レッグレスト支持部の先端に設けられた開口部から進出させるレッグアシスト連動機構部と、を有することを特徴とする請求項１から請求項５のいずれか一項に記載の歯科用椅子。
【請求項７】
前記レッグアシスト連動機構部は、
前記座部の下面側に対して一端側が回動可能に連結されたレッグアシスト用リンクと、
前記レッグアシスト用リンクの他端側が回動可能に連結され前記レッグレスト支持部内で往復移動可能に支持されている移動体と、
前記レッグレスト支持部の基端側に向かう前記移動体の移動を前記レッグレスト支持部の先端側に向かう前記レッグアシストの移動に変換する変換機構部と、
前記レッグレスト支持部の基端側に向かう前記移動体の移動を規制するストッパと、を有し、
前記座部の下面側に設けられたピンが、前記レッグアシスト用リンクの前記一端側に該レッグアシスト用リンクの長手方向に沿って形成された長孔に挿入されており、
前記レッグアシスト用リンクを該レッグアシスト用リンクの前記一端側へ長手方向に沿って付勢する付勢手段が設けられていることを特徴とする請求項６に記載の歯科用椅子。
【請求項８】
前記変換機構部は、
前記移動体に対して一端側が回動可能に連結された第１変換用リンクと、
前記第１変換用リンクの他端側に対して一端側が回動可能に連結された第２変換用リンクと、
前記第２変換用リンクの他端側に対して一端側が回動可能に連結された第３変換用リンクと、を有し、
前記第２変換用リンクの一端側と他端側との間の部分が前記レッグレスト支持部に対して回動可能に連結されており、
前記第３変換用リンクの他端側が前記レッグアシストに対して回動可能に連結されていることを特徴とする請求項７に記載の歯科用椅子。
【手続補正２】
【補正対象書類名】明細書
【補正対象項目名】０００８
【補正方法】変更
【補正の内容】
【０００８】
前記課題を解決するため、本発明は、患者が着座する座部と、患者の脚部を支えるレッグレストと、を備える歯科用椅子であって、前記レッグレストは、前記座部の前端縁の近傍に設けられた回動軸の周りで回動可能に支持されているとともに、前記歯科用椅子への患者の乗降時において先端側が基端側よりも後方に入り込んで鉛直下方に対して傾斜するように構成されており、前記座部の前端縁は、該座部の前端縁に沿う方向である幅方向の中央部の方が前記幅方向の両端部よりも後方にえぐれており、前記レッグレストの表面は、前記幅方向の中央部の方が前記幅方向の両端部よりも該レッグレストの裏面側に向けてへこむように湾曲していることを特徴とする。
【手続補正３】
【補正対象書類名】明細書
【補正対象項目名】０００９
【補正方法】変更
【補正の内容】
【０００９】
このような構成では、歯科用椅子への患者の乗降時においてレッグレストはその先端側が基端側よりも後方に入り込んでいるため、患者は、足の踵を座部の下方へ引いて挿入することができる。しかも、座部の前端縁の幅方向の中央部が後方にえぐれているため、例えば小柄な女性のように大腿部が比較的短い患者であっても、膝裏に座部が干渉してしまうことなく、膝を折り曲げて足の膝から先を後方に引くことができる。したがって、患者は、大腿部の長さにかかわらず、足の踵を膝よりも後方に引いてスムーズに体重移動することができ、起立および着座が容易となる。
すなわち、本発明によれば、患者の身体的特徴にかかわらず、より容易に乗降することができる歯科用椅子を提供できる。
また、患者が歯科用椅子上で診療を受ける際には、大腿部の長さにかかわらず、膝裏に座部が干渉することがないため、患者の足は歯科用椅子に良好にフィットする。したがって、患者は快適に診療を受けることができる。
また、歯科用椅子への患者の乗降時においてレッグレストの先端側を基端側よりも後方に入り込ませたとき、レッグレストの表面の幅方向の中央部が後方に向けてへこんだ状態となる。つまり、上方から見て、座部の前端縁と、レッグレストの表面とは、同じように幅方向の中央部が後方にえぐれたラインを描く。したがって、患者は、歯科用椅子に対する乗降時に、足の踵を座部の下方へ確実に引くことができるため、起立および着座がより容易となる。このため、歯科用椅子に対してより容易に乗降することが可能となる。
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】削除
【補正の内容】